(57)【要約】【課題】移動ユーザが話中であるか登録されていない場合に、移動ユーザが利用可能となったときに元の発呼者に通知する他の選択肢を発呼者に提供する方法と装置を提供する。【解決手段】本願発明は、ａ）移動被呼者が、発呼者によって開始された元の呼に対して利用可能ではないことを決定し、ｂ）移動被呼者が利用可能となった時に通知を提供する旨のメッセージを発呼者に通信し、ｃ）発呼者が通知の提供を選択したことに応答して、移動被呼者が利用可能であるかどうかを定期的に判定し、ｄ）移動被呼者が利用可能であることを決定した後、移動被呼者が利用可能であることを示し、移動被呼者との接続を発呼者に提供する旨のメッセージとともに、発呼者に第１の呼を開始し、そしてｅ）発呼者が接続の提供を選択したことに応答して、移動被呼者に第２の呼を開始し、第１の呼と第２の呼を接続する。【選択図】図２
2004350294.tif 000002
【特許請求の範囲】
【請求項１】
無線ネットワークを含む電気通信ネットワークにおいて、移動被呼者が利用可能となった時に発呼者に通知する方法であって、
ａ）前記移動被呼者が、前記発呼者によって開始された元の呼に対して利用可能ではないことを決定する工程と、
ｂ）前記移動被呼者が利用可能となった時に通知を提供する旨のメッセージを前記発呼者に通信する工程と、
ｃ）前記発呼者が前記通知の提供を選択したことに応答して、前記移動被呼者が利用可能であるかどうかを定期的に判定する工程と、
ｄ）前記移動被呼者が利用可能であることを決定した後、前記移動被呼者が利用可能であることを示し、前記移動被呼者との接続を前記発呼者に提供する旨のメッセージとともに、前記発呼者に第１の呼を開始する工程と、
ｅ）前記発呼者が前記接続の提供を選択したことに応答して、前記移動被呼者に第２の呼を開始し、前記第１の呼と前記第２の呼を接続する工程とを含む方法。
【請求項２】
前記工程ａ）の前に、ｆ）前記発呼者から前記移動被呼者への前記元の呼を処理する工程をさらに含む請求項１に記載の方法。
【請求項３】
前記工程ｃ）と前記工程ｄ）との間に、
ｆ）もし前記定期的な判定の工程の後に前記移動被呼者が利用可能でなければ、所定の時間が時間切れになったかどうかを判定する工程、および、
ｇ）もし前記所定の時間が時間切れになっていれば、処理を終了する工程をさらに含む請求項１に記載の方法。
【請求項４】
ｆ）前記発呼者が前記接続の提供を選択しなかったことに応答して、前記処理を終了させる工程をさらに含む請求項１に記載の方法。
【請求項５】
前記工程ｅ）の間に、
ｆ）前記移動被呼者が前記第２の呼に対して話中であることを決定し、通知処理を再試行するために前記工程ｂ）に戻る工程をさらに含む請求項１に記載の方法。
【請求項６】
ｆ）前記移動被呼者が登録されていないことを決定する工程を、前記工程ａ）がさらに含む請求項１に記載の方法。
【請求項７】
ｆ）前記移動被呼者が話中であることを決定する工程を、前記工程ａ）がさらに含む請求項１に記載の方法。
【請求項８】
無線ネットワークを含む電気通信ネットワークにおける装置であって、
移動被呼者が、発呼者によって開始された元の呼に対して利用可能ではないことを決定する手段と、
前記移動被呼者が利用可能となった時に通知を提供する旨のメッセージを前記発呼者に通信する手段と、
前記発呼者が前記通知の提供を選択したことに応答して、前記移動被呼者が利用可能であるかどうかを定期的に判定する手段と、
前記移動被呼者が利用可能であることを決定した後、前記移動被呼者が利用可能であることを示すメッセージを使用して前記発呼者に第１の呼を開始し、前記移動被呼者との接続を発呼者に提供する手段と、
前記発呼者が前記接続の提供を選択したことに応答して、前記移動被呼者に第２の呼を開始し、前記第１の呼と前記第２の呼を接続する手段とを含む装置。
【請求項９】
前記決定手段は、前記移動被呼者が登録されていないことを決定する手段をさらに含む請求項８に記載の装置。
【請求項１０】
前記決定手段は、前記移動被呼者が話中であることを決定する手段をさらに含む請求項８に記載の装置。
【発明の詳細な説明】
【技術分野】
【０００１】
本発明は、一般に電気通信ネットワークに関し、さらに詳細には、移動被呼者が利用可能となった時（すなわち、話中でなく、登録された時）の発呼者の通知のための装置および方法に関し、それを特に参照して説明される。しかし、本発明は他の応用例に対しても適用可能であることを理解されたい。
【背景技術】
【０００２】
電気通信ネットワークは、しばしば１つまたは複数の無線ネットワークを含む。これらのタイプの電気通信ネットワークは、当技術分野で一般に知られている。典型的な電気通信ネットワークの１つの例を図１に示す。電気通信ネットワーク１０は発呼者「Ａ」１２、送信元移動交換センタ（Ｏriginating−Ｍobile Ｓwitching Ｃenter：Ｏ−ＭＳＣ）１４、自立型ホーム・ロケーション・レジスタ（Ｓtandalone Ｈome Ｌocation Ｒegister：ＳＨＬＲ）１６、サービス制御ポイント（Ｓervice Ｃontrol Ｐoint：ＳＣＰ）１８、機能中の移動交換センタ（Ｓerving−Ｍobile Ｓwitching Ｃenter：Ｓ−ＭＳＣ）２０、および、移動被呼者「Ｂ」２２を含む。
【０００３】
発呼者「Ａ」１２は有線電話、個人通信システム（Ｐersonal Ｃommunication Ｓystem：ＰＣＳ）、または、移動局（Ｍobile Ｓtation：ＭＳ）を使用していることができる。発呼者「Ａ」１２は、音声またはデータの呼を搬送できる音声幹線２４ａまたはいかなる他の接続を介して、Ｏ−ＭＳＣ１４と通信している。
【０００４】
各移動交換センタ（Ｍobile Ｓwitching Ｃenter：ＭＳＣ）は、無線ネットワークと、他の公衆交換ネットワーク、または、同じまたは他の無線ネットワークの他のＭＳＣとの間のユーザ・トラフィックのためのインターフェースを提供する自動システムである。Ｏ−ＭＳＣ１４は移動ユニットの加入者（例えば、移動被呼者「Ｂ」２２）のために着信呼を受信する。Ｏ−ＭＳＣ１４は、音声またはデータの呼を搬送できる音声幹線２４ｂまたはいかなる他の接続を介して、Ｓ−ＭＳＣ２０と通信している。Ｏ−ＭＳＣ１４は制御信号リンク２６を介してＳＨＬＲ１６およびＳＣＰ１８と通信している。
【０００５】
Ｓ−ＭＳＣ２０は、その指定された、または、所定の地理的区域を移動またはローミングした移動ユニット（例えば、移動被呼者「Ｂ」２２）にサービスを提供する。Ｓ−ＭＳＣ２０は無線アクセス・ネットワーク（Ｒadio Ａccess Ｎetwork：ＲＡＮ）接続２４ｃを介して移動被呼者「Ｂ」２２と通信している。Ｓ−ＭＳＣ２０は制御信号リンク２６を介してＳＨＬＲ１６およびＳＣＰ１８と通信している。
【０００６】
ＳＨＬＲ１６は、記録する目的でユーザの身元が割り当てられているレジストラ（registrar)として機能するデータベースを含む。データベースは、例えばユーザのための加入者情報、移動局情報、および、位置情報を含む。ＳＨＬＲ１６は加入者のためにサービス制御および移動管理を提供する。典型的に、ＳＨＬＲは（図１に示すように）２つ以上のＭＳＣのために機能する。しかし、ＨＬＲは特定のＭＳＣ内に所在し、これからは区別できないことがある。ＳＨＬＲ１６は制御信号リンク２６を介してＳＣＰ１８と通信している。
【０００７】
ＳＣＰ１８は、サービス制御およびサービス・データ機能を提供するデータベースおよびトランザクション処理システムである。ＳＣＰ１８は、問い合わせに応答して加入者およびアプリケーションに固有のサービスを行い、呼の処理を継続するための固有機能および指示を行なうための指示を送り返す。加えて、ＳＣＰ１８は新しいサービスを紹介し、サービスおよび特徴をカスタム化するためのメカニズムである。
【０００８】
移動被呼者「Ｂ」２２は、移動ユーザ側での無線（すなわち、ワイヤレス）経路を終端させるために使用されるインターフェース設備（例えば、ＭＳ）を含む。典型的に、このような設備は、移動被呼者「Ｂ」２２に、発信呼のための通信ネットワークへのアクセスも提供する。
【０００９】
現在、発呼者「Ａ」１２が移動被呼者「Ｂ」２２を呼び出している時、もし被呼者「Ｂ」が登録されていないか、話中であれば、呼は、一般に、音声伝言システムに転送される。被呼者「Ｂ」と対話可能に通信するための唯一の選択肢は、１）伝言を残し、被呼者「Ｂ」が呼を返してくるのを待つこと、または、２）後で被呼者「Ｂ」を再び呼び出すことである。
【発明の開示】
【発明が解決しようとする課題】
【００１０】
移動ユーザが話中であるか、登録されていない時に、移動ユーザが利用可能となった時に元の発呼者に通知する他の選択肢を発呼者に提供することが特に求められている。
【課題を解決するための手段】
【００１１】
本発明の一態様では、無線ネットワークを含む電気通信ネットワークにおいて、移動被呼者が利用可能となった時に発呼者に通知する方法が提供される。方法は、ａ）移動被呼者が、発呼者によって開始された元の呼に対して利用可能ではないことを決定する工程、ｂ）移動被呼者が利用可能となった時に通知を提供する旨のメッセージを発呼者に通信する工程、ｃ）発呼者が通知の提供を選択したことに応答して、移動被呼者が利用可能であるかどうかを定期的に判定する工程、ｄ）移動被呼者が利用可能であることを決定した後、移動被呼者が利用可能であることを示し、移動被呼者との接続を発呼者に提供する旨のメッセージとともに、発呼者に第１の呼を開始する工程、および、ｅ）発呼者が接続の提供を選択したことに応答して、移動被呼者に第２の呼を開始し、第１の呼と第２の呼を接続する工程を含む。
【００１２】
本発明の他の態様において、電気通信処理方法が提供される。方法は、ａ）発呼者によって開始された元の呼に対し、移動被呼者が話中であることを決定する工程、ｂ）発呼者にメッセージを通信し、移動被呼者が利用可能になった時に通知を提供する工程、ｃ）もし発呼者が通知の提供を選択すれば、移動被呼者が利用可能になったかどうかを定期的に判定する工程、ｄ）移動被呼者が利用可能になったことを決定した後、移動被呼者が利用可能になったことを示し、移動被呼者との接続を発呼者に提供する旨のメッセージとともに、発呼者に第１の呼を開始する工程、および、ｅ）発呼者が接続の提供を選択したことに応答して、移動被呼者に第２の呼を開始し、第１の呼と第２の呼を接続する工程を含む。
【００１３】
本発明のさらに他の態様において、電気通信処理の方法が提供される。方法は、ａ）発呼者によって開始された元の呼に対し、移動被呼者が登録されていないことを決定する工程、ｂ）発呼者にメッセージを通信し、移動被呼者が利用可能になった時に通知を提供する工程、ｃ）もし発呼者が通知の提供を選択すれば、移動被呼者が利用可能になったかどうかを定期的に判定する工程、ｄ）移動被呼者が利用可能になったことを決定した後、移動被呼者が利用可能になったことを示し、移動被呼者との接続を発呼者に提供する旨のメッセージとともに、発呼者に第１の呼を開始する工程、および、ｅ）発呼者が接続の提供を選択したことに応答して、移動被呼者に第２の呼を開始し、第１の呼と第２の呼を接続する工程を含む。
【００１４】
本発明の恩恵および長所は本明細書に提供される本発明の説明を読み、理解すれば、当業者には明らかになる。
本発明は、添付の図面一式と共にさらに詳細に説明されている。
【発明を実施するための最良の形態】
【００１５】
本発明について添付の図面と共に述べられているが、図面は本発明の例示的な実施形態を例示するためのものであり、本発明をそのような実施形態に限定すると解釈すべきでない。本発明は、図面および関連する説明に提示されるものを超えて、様々な構成部分と構成部分の配列、および、様々な工程と工程の配列の形態を取れることを理解されたい。図面において、同じ参照番号は同じ要素を示し、類似する参照番号は類似する要素を示す。
【００１６】
図２を参照すると、被呼者が利用可能となった時に発呼者に通知する処理５０が、本発明の実施形態によって提供される。発呼者は陸線ユーザ、ＰＣＳユーザ、または、他のいかなるタイプの電話サービスのユーザであってもよい。被呼者は移動ユーザである。処理は、発呼者が移動ユーザを呼び出す時の工程５２で開始される。本発明は、移動ユーザが元々利用可能ではない場合（工程５４）の呼に関連する。システムは、移動ユーザが利用可能ではないいくつかの状態を認識する。例えば、移動ユーザの回線が話中である時、および、移動ユーザが登録されていない（すなわち、活動していない）時である。もし移動ユーザが利用可能であれば、元の呼はそのままベルを鳴らし、移動ユーザによって返答されるか、返答される前に発呼者によって終端されるかのいずれかとなる。
【００１７】
利用可能でない移動ユーザの場合、工程５６において、処理は、移動ユーザが利用可能となった時に、発呼者が、通知されることを、または、移動ユーザのボイス・メールに接続されることを希望するかどうかを問う発呼者へのメッセージを再生する。もし発呼者が通知されることを選択すれば、処理は工程５８に継続する。でなければ、発呼者は、移動ユーザのボイス・メールに経路決定される（工程６０）。
【００１８】
工程５８において、処理は、移動ユーザが利用可能になっているかどうかを所定の時間にわたって定期的に調べるためのループを開始する。もし移動ユーザが利用可能でなければ、処理は、所定の時間が時間切れになったかどうかを確かめるために調べる（工程６２）。所定の時間が時間切れでなければ、処理は工程５８を繰り返す。もし所定の時間が時間切れであれば、処理は終了される（工程６４）。
【００１９】
もし移動ユーザが工程５８において利用可能となれば、処理は発呼者を呼び出し、移動ユーザが利用可能であることを伝え（工程６６）、移動ユーザへの呼を自動的に発する選択肢を与える（工程６８）。もし移動ユーザを自動的に呼び出す処理を行なうことを発呼者が選択すれば、処理は工程７０に継続し、発呼者のために移動ユーザを自動的に呼び出す。でなければ、処理は終了され（工程７２）、発呼者は、発呼者の選択により移動ユーザを再び呼び出すことができる。
【００２０】
一実施形態において、被呼者移動ユーザはサービス・プロバイダのＳＨＬＲネットワーク内にいる。
【００２１】
図３を参照すると、本発明の実施形態による「登録されていない」移動ユーザの場合のための呼のフロー図が提供されている。呼のフロー図のための例示的な電気通信インフラストラクチャは、図１に示すように、発呼者「Ａ」１２、Ｏ−ＭＳＣ１４、ＳＨＬＲ１６、ＳＣＰ１８、Ｓ−ＭＳＣ２０、および、移動被呼者「Ｂ」２２を含む。同様の機能を提供する代案となるインフラストラクチャ構成部分も考えられている。呼のフローは直線（ａ）で開始され、工程の形で直線（ｑ）へと続く。
【００２２】
「登録されていない」場合は、発呼者「Ａ」１２が移動被呼者「Ｂ」２２に呼を発する時の直線（ａ）で開始される。この時点において、呼「ａ」は、発呼者「Ａ」１２からＯ−ＭＳＣ１４に通信される。次に、直線（ｂ）において、Ｌｏｃａｔｉｏｎ  Ｒｅｑｕｅｓｔ（位置要求、ＬＯＣＲＥＱ）メッセージがＯ−ＭＳＣ１４から被呼者のＳＨＬＲ１６に通信される。ＳＨＬＲ１６は、被呼者が承認を受けて活動中であるかどうかを確かめるために調べる。この場合において、被呼者は活動していない（すなわち、登録されていない）。したがって、ＳＨＬＲ１６は、発呼者が、被呼者が利用可能となった時に通知されることを、または、ボイス・メールに転送されることを希望するかどうかについての指示を要求するメッセージを再生するために、Ａｎｎｏｕｎｃｅｍｅｎｔ  ａｎｄ  Ｄｉｇｉｔｓ（メッセージおよび数字）パラメータを備えたＲｅｍｏｔｅ  Ｕｓｅｒ  Ｉｎｔｅｒａｃｔｉｏｎ  Ｄｉｒｅｃｔｉｖｅ（遠隔ユーザ対話指令、ＲＵＩＤＩＲ）メッセージをＯ−ＭＳＣ１４に通信する（直線（ｃ））。
【００２３】
直線（ｄ）において発呼者が応答した後、Ｏ−ＭＳＣ１４は、遠隔ユーザ対話指令（ｒｕｉｄｉｒ）返信結果をＳＨＬＲ１６に通信する。もし通知が要求されれば、ＳＨＬＲ１６は被呼者記録にそのように記す。もし通知が要求されなければ、発呼者は被呼者のボイス・メールへのアクセスを与えられるか、または、単に呼が終了される。直線（ｅ）において、ＳＨＬＲ１６は位置要求返信結果をＯ−ＭＳＣ１４に通信する。次に、直線（ｆ）において、ＳＨＬＲ１６は、ＤｉｇｉｔｓＤｉａｌｅｄおよびＣａｌｌｉｎｇＰａｒｔｙＤｉｇｉｔｓのパラメータとともに、Ｓｅｒｖｉｃｅ  Ｒｅｑｕｅｓｔ（サービス要求、ＳＥＲＲＥＱ）メッセージをＳＣＰ１８に通信する。「当方に通知を」の処理がこの情報を記憶する。サービス要求（ｓｅｒｒｅｑ）返信結果が、ＳＣＰ１８からＳＨＬＲ１６に通信される（直線（ｇ））。
【００２４】
直線（ｈ）において、被呼者Ｂ２２がＳ−ＭＳＣ２０のサービス・エリアに進入し、Ｓ−ＭＳＣ２０に登録したことに応答して、Ｓ−ＭＳＣ２０は、Ｒｅｇｉｓｔｒａｔｉｏｎ  Ｎｏｔｉｆｉｃａｔｉｏｎ（登録通知、ＲＥＧＮＯＴ）メッセージをＳＨＬＲ１６に通信する。これは、ＳＨＬＲ１６が登録通知返信結果（ｒｅｇｎｏｔ  ＲＲ）をＳ−ＭＳＣ２０に返信することによって受信確認される。この時点で、ＳＨＬＲ１６は、被呼者が利用可能であり、ＳＣＰ１８における「当方に通知を」の処理にＳＥＲＶＲＥＱメッセージを送っていることを認識する（直線（ｊ））。次に、直線（ｋ）において、ＳＣＰ１８はｓｅｒｖｅｑ返信結果をＳＨＬＲ１６に通信する。
【００２５】
直線（ｌ）において、ＳＣＰ１８は、例えば拡張メディア・リソース・サーバ（enhanced Ｍedia Ｒesource Ｓerver：ｅＭＲＳ）を介して、元の発呼者「Ａ」１２に呼を開始し、Ｏ−ＭＳＣ１４へのメッセージを備えた第１の初期アドレス・メッセージ（Ｉnitial Ａddress Ｍessage：ＩＡＭ）を通信し、その結果、Ｏ−ＭＳＣ１４が発呼者「Ａ」１２に警告する。これに応答して、発呼者「Ａ」１２は着信呼に返答し、Ｏ−ＭＳＣ１４に、返答メッセージ（ＡＮswer Ｍessage：ＡＮＭ）返信結果をＳＣＰ１８に通信させる（直線（ｍ））。次に、直線（ｎ）において、ＳＣＰ１８は発呼者「Ａ」１２へのメッセージを再生する。このメッセージは、例えば、移動ディレクトリ番号（Ｍobile Ｄirectory Ｎumber：ＭＤＮ）ｘｘｘｘｘｘｘｘｘ（すなわち、移動被呼者「Ｂ」２２）が利用可能であり、同被呼者を呼び出すために「１」を押すことを述べる。発呼者「Ａ」１２による応答も、直線（ｎ）においてＳＣＰ１８に通信される。
【００２６】
次に、もし発呼者「Ａ」１２が「１」を押した（すなわち、移動ユーザを自動的に呼び出すための処理を要求した）なら、直線（ｏ）において、ＳＣＰ１８は、例えばｅＭＲＳを介して、元の移動被呼者「Ｂ」２２への呼を開始し、第２のＩＡＭをＳ−ＭＳＣ２０に通信し、その結果、Ｓ−ＭＳＣ２０が移動被呼者「Ｂ」２２に警告する。もし移動被呼者「Ｂ」２２が話中であれば、処理は、「登録されていない」場合のための通知処理を再試行するために直線（ｃ）（第２７段落を参照）に戻る。もし移動被呼者「Ｂ」２２が返答すれば、Ｓ−ＭＳＣ２０からＳＣＰ１８にＡＮＭが通信される（直線（ｐ））。双方の呼（すなわち、第１のＩＡＭおよび第２のＩＡＭ）が成功した時、直線（ｑ）において、発呼者「Ａ」１２および移動被呼者「Ｂ」２２はＳＣＰ１８によって接続される。
【００２７】
図４を参照すると、本発明の実施形態による移動ユーザが「話中」の場合のための呼のフロー図が提供される。呼のフロー図のための例示的な電気通信インフラストラクチャは、図１に示すように、発呼者「Ａ」１２、Ｏ−ＭＳＣ１４、ＳＨＬＲ１６、ＳＣＰ１８、Ｓ−ＭＳＣ２０、および、移動被呼者「Ｂ」２２を含む。同様の機能を提供する代案となるインフラストラクチャ構成部分も考えられている。呼のフローは直線（ａ）で開始され、工程の形で直線（ｑ）へと続く。
【００２８】
「話中」の場合は、発呼者「Ａ」１２が移動被呼者「Ｂ」２２に呼を発する時の直線（ａ）で開始される。この時点において、呼「ａ」は、発呼者「Ａ」１２からＯ−ＭＳＣ１４に通信される。次に、直線（ｂ）において、ＬＯＣＲＥＱメッセージがＯ−ＭＳＣ１４から被呼者のＳＨＬＲ１６に通信される。ＳＨＬＲ１６は、被呼者が承認を受けて活動中であるかどうかを確かめるために調べる。この場合において、被呼者は話中である。したがって、ＳＨＬＲ１６は、発呼者が、被呼者が利用可能となった時に通知されることを、または、ボイス・メールに転送されることを希望するかどうかについての指示を要求するメッセージを再生するために、Ａｎｎｏｕｎｃｅｍｅｎｔ  ａｎｄ  Ｄｉｇｉｔｓパラメータを備えたＲＵＩＤＩＲメッセージをＯ−ＭＳＣ１４に通信する（直線（ｃ））。
【００２９】
直線（ｄ）において発呼者が応答した後、Ｏ−ＭＳＣ１４は、ｒｕｉｄｉｒ返信結果をＳＨＬＲ１６に通信する。もし通知が要求されれば、ＳＨＬＲ１６は被呼者記録にそのように記す。もし通知が要求されなければ、発呼者は被呼者のボイス・メールへのアクセスを与えられるか、または、単に呼が終了される。直線（ｅ）において、ＳＨＬＲ１６はｌｏｃｒｅｑ返信結果をＯ−ＭＳＣ１４に通信する。次に、直線（ｆ）において、ＳＨＬＲ１６は、被呼者が話中であることを認識し、ＤｉｇｉｔｓＤｉａｌｅｄおよびＣａｌｌｉｎｇＰａｒｔｙＤｉｇｉｔｓのパラメータとともに、ＳＥＲＶＲＥＱメッセージをＳＣＰ１８に通信する。「当方に通知を」の処理がこの情報を記憶する。ｓｅｒｖｒｅｑ返信結果が、ＳＣＰ１８からＳＨＬＲ１６に通信される（直線（ｇ））。
【００３０】
直線（ｈ）において、ＳＣＰ１８は、移動被呼者が利用可能であるかどうかを確かめるために、Ｉｎｔｅｒ−Ｓｙｓｔｅｍ  Ｐｏｓｉｔｉｏｎ  Ｒｅｑｕｅｓｔ（システム間位置要求、ＩＳＰＯＳＲＥＱ）メッセージを、Ｓ−ＭＳＣ２０に所定の時間にわたって定期的に送る。もし移動ユーザがトラフィック・チャンネル（例えば、Ｃｈａｎｎビット）上にあれば、Ｓ−ＭＳＣ２０は、ビット・セットを有するＭＳ状態パラメータを備えたシステム間位置要求（ｉｓｐｏｓｒｅｑ）返信結果を通信する（直線（ｉ））。試行の回数、および、話中の問い合わせの周期は、「当方に通知を」の処理において指定することができる。直線（ｊ）および（ｋ）は問い合わせの１回の反復を示す。
【００３１】
移動被呼者「Ｂ」２２が利用可能である（すなわち、最早話中ではない）時、ＳＣＰ１８は、例えばｅＭＲＳを介して、元の発呼者「Ａ」１２への呼を開始し、メッセージを備えた第１のＩＡＭをＯ−ＭＳＣ１４に通信し、その結果、Ｏ−ＭＳＣ１４が発呼者「Ａ」１２に警告する（直線（ｌ））。これに応答して、発呼者「Ａ」１２は着信呼に返答し、Ｏ−ＭＳＣ１４に、ＡＮＭ返信結果をＳＣＰ１８に通信させる（直線（ｍ））。次に、直線（ｎ）において、ＳＣＰ１８は発呼者「Ａ」１２へのメッセージを再生する。このメッセージは、例えば、移動ディレクトリ番号（ＭＤＮ）ｘｘｘｘｘｘｘｘｘ（すなわち、移動被呼者「Ｂ」２２）が利用可能であり、同被呼者を呼び出すために「１」を押すことを述べる。発呼者「Ａ」１２による応答も、直線（ｎ）においてＳＣＰ１８に通信される。
【００３２】
次に、もし発呼者「Ａ」１２が「１」を押した（すなわち、移動ユーザを自動的に呼び出すための処理を要求した）なら、直線（ｏ）において、ＳＣＰ１８は、例えばｅＭＲＳを介して、元の移動被呼者「Ｂ」２２への呼を開始し、第２のＩＡＭを移動被呼者「Ｂ」２２に通信する。もし移動被呼者「Ｂ」２２が話中であれば、処理は、「話中」の場合のための通知処理を再試行するために直線（ｃ）に戻る。もし移動被呼者「Ｂ」２２が返答すれば、ＳＣＰ１８にＡＮＭが通信される（直線（ｐ））。双方の呼（すなわち、第１のＩＡＭおよび第２のＩＡＭ）が成功した時、直線（ｑ）において、発呼者「Ａ」１２および移動被呼者「Ｂ」２２はＳＣＰ１８によって接続される。
【００３３】
本明細書では、例示的な実施形態と共に本発明について述べたが、多くの代替、修正、および変形が当業者には明らかであることが自明である。したがって、上記の説明における本発明の実施形態は、本発明の精神および範囲を制限するものではなく、例示的なものであるものとする。さらに具体的には、添付の特許請求の範囲の精神および範囲に入る、本明細書に述べられている例示的実施形態の全ての代替、修正、および変形、またはその均等物を本発明が包含することが意図されている。
【図面の簡単な説明】
【００３４】
【図１】電気通信ネットワークのブロック図である。
【図２】本発明の実施形態による、本来は呼が発せられた時に利用可能ではなかった移動ユーザへの呼のための発呼者通知処理のフローチャートである。
【図３】移動ユーザが登録されていない場合の本発明の実施形態による呼のフロー図である。
【図４】移動ユーザが話中の場合の本発明の実施形態による呼のフロー図である。
【図１】
2004350294.tif 000003
【図２】
2004350294.tif 000004
【図３】
2004350294.tif 000005
【図４】
2004350294.tif 000006